(57)【特許請求の範囲】
【請求項１】
-  第1のアーム(5)および第2のアーム(6)であって、ジョイント(8)によって相互に接続され、毛髪を処理するための閉構成と処理したい毛髪を前記アーム間に取り込むための開構成との間で関節軸（Y）の周りに互いに対して移動することの可能な、第1のアーム(5)および第2のアーム(6)と、
-  取外し可能なレフィル(20)であって、
ハウジング(22)を有する本体、および
前記ハウジング(22)内に受け取られた化粧製品を塗布するための部材(26)
を備える、取外し可能なレフィル(20)と
を備え、
前記レフィル(20)が、前記第1のアーム(5)の少なくとも第2の取付け手段(29)と相互作用する、少なくとも第1の取付け手段(27)を備え、それによって、前記第1および第2の取付け手段(27、29)が、前記第1の取付け手段(27)を関節軸（Y）に沿って前記第2の取付け手段(29)に対して移動させることによって組み立てられ、前記第1の取付け手段(27)および前記第2の取付け手段(29)のうちの一方がクリップ(30)であり、前記クリップ(30)が、前記レフィル(20)または前記第1のアーム(5)の凹所(40)の長さL全体にわたって延在する対面する2つの壁部(32、34)であって前記第1の取付け手段(27)および前記第2の取付け手段(29)のうちの他方の支持体(48)を間に閉じ込める対面する2つの壁部(32、34)を備え、前記支持体(48)は前記レフィル(20)または前記第1のアーム(5)の前記凹所(40)の長さL全体にわたって延在するプレートの形態を有する、毛髪を処理するための装置。
【請求項２】
前記第2の取付け手段(29)が、スナップ嵌合および/または摩擦によって前記第1の取付け手段(27)の対応する表面と相互作用する、少なくとも1つの表面を有する、請求項1に記載の装置。
【請求項３】
前記第1の取付け手段(27)が、前記第2の取付け手段(29)の支持体(48)を間に閉じ込める2つの対面する壁部(32、34)を備える、請求項1または2に記載の装置。
【請求項４】
前記2つの壁部(32、34)が、平行である、請求項3に記載の装置。
【請求項５】
前記2つの壁部(32、34)が、0.5mmから10mmの間の距離eだけ離隔している、請求項4に記載の装置。
【請求項６】
前記第1の取付け手段(27)が、前記第2の取付け手段(29)の相補的ロック用部材(54、52)とスナップ嵌合するロック用部材(52、54)を備える、請求項1に記載の装置。
【請求項７】
前記壁部(32、34)のうちの少なくとも一方が、機械的応力を受ける少なくとも1つのガイド部分(56)、および前記レフィル(20)が外れないようにする少なくとも1つのロック用部分(58)を備える、請求項3に記載の装置。
【請求項８】
前記支持体(48)を支える前記第1のアーム(5)または前記レフィル(20)が、前記ロック用部分(58)を手動でロック解除するための少なくとも1つのノッチ(60)を備える、請求項7に記載の装置。
【請求項９】
前記支持体(48)が、前記2つの壁部(32、34)間の距離eに実質的に等しい一定の厚さdのものである、請求項3に記載の装置。
【請求項１０】
前記第1の取付け手段(27)が、前記第2の取付け手段(29)と同じ長さであり、かつ/または前記レフィル(20)の長さに等しい長さにわたって延在する、請求項1に記載の装置。
【請求項１１】
前記第1の取付け手段(27)が、0.5mmから50mmの間の幅lを有する、請求項1に記載の装置。
【請求項１２】
前記第2の取付け手段(29)が、前記第1の取付け手段(27)の幅に等しいかそれよりも大きい幅を有する、請求項1に記載の装置。
【請求項１３】
前記第1のアーム(5)が、前記凹所(40)を備え、前記凹所(40)が前記レフィル(20)を受け取り 、前記凹所(40)内に前記第1および前記第2の取付け手段(27、29)が延在する、請求項1に記載の装置。
【請求項１４】
前記レフィル(20)が、前記レフィルが前記第1のアーム(5)上に取り付けられたときに前記装置の外側のほうを向く、前記レフィル(20)の表面に沿って延在する舌片(50)を備える、請求項1に記載の装置。
【請求項１５】
請求項1に記載の毛髪を処理するための装置のレフィル(20)。
【発明の詳細な説明】
【技術分野】
【０００１】
本発明は、毛髪を処理するための装置に関し、より詳細には、それに限定されないが、化粧製品の取外し可能なレフィルを備える、毛髪の形を整えるためのものである装置、特に毛髪をストレートにする、カールさせる、または波形にするためのものである装置、および対応する化粧製品のレフィルに関する。
【背景技術】
【０００２】
通常、ヘアストレートナは、2本のアームの開閉を可能にするヒンジを用いて相互に接続されている前記2本のアーム、およびアーム上に配設された少なくとも1つの加熱要素から成る。毛髪の毛束をスタイリングする操作の際、前記毛束が、開位置にある2本のアームの間に導入され、次いで2本のアームが、毛髪の毛束に被さって手動で閉じられる。次いで、2本のアームが開かれて毛髪の毛束が取り除かれるまで、毛髪の毛束は、加熱要素によって出力される熱にかけられる。
【０００３】
国際公開第2009/078046号は、毛髪スタイリング機器であって、機器を開閉できるように相互に接続されている2本のアーム、少なくとも1つの加熱部材、および毛髪処理装置を収めるための少なくとも1つの座部を備え、毛髪処理装置が、動作中に毛髪ケア製品を供給することのできる、毛髪スタイリング機器について記載している。毛髪処理装置は、毛髪ケア製品が含浸された、使い捨てに適した支持材料から構成されている。
【０００４】
国際公開第2009/015027号および米国特許出願公開第2009/0025247号は、毛髪との接触による毛髪ケア製品の塗布を可能にしたヘアストレート装置について開示している。塗布される毛髪ケア製品は、その塗布ができるように、取外し可能なレフィル内に収容される。取外し可能なレフィルは、ゲル状の形態をとる毛髪ケア製品を収容するリザーバ、および製品を供給し塗布するためのオリフィスを備え、前記オリフィスは、リザーバの壁部を直接貫通して作成される。レフィルは、ヘアストレートナの2本のアームのうちの一方上に配設されたハウジング内に、アームの軸に沿ってスライドさせることによって、導入される。
【０００５】
仏国特許出願公開第2999884号は、毛髪上に蒸気を噴霧することの可能なヘアストレート装置について開示している。
【０００６】
国際公開第2013/045331号は、毛髪にケア物質を塗布するためのアプリケータであって、アプリケータのハウジング内に保持されるケア物質のレフィルを備える、アプリケータについて開示している。このカートリッジは、ケア物質で飽和した多孔質支持体を備えている。
【０００７】
国際公開第2013/090896号は、毛髪または皮膚に適用される処理剤支持体、特に飽和多孔質材料を備える、毛髪を処理するための機器、特に毛髪スタイリング機器に関する。支持体はアクセサリに固定され、アクセサリはそれ自体が、毛髪処理機器上に取外し可能に取り付けられる。支持体はT字状であり、アクセサリ内の相補的な溝の中に取り付けることができるようになっている。
【０００８】
欧州特許出願公開第2397045号は、リザーバによって液体が供給される吸収材料を有する取外し可能なアクセサリを備える、ヘアストレート装置に関する。
【先行技術文献】
【特許文献】
【０００９】
【特許文献１】国際公開第2009/078046号
【特許文献２】国際公開第2009/015027号
【特許文献３】米国特許出願公開第2009/0025247号
【特許文献４】仏国特許出願公開第2999884号
【特許文献５】国際公開第2013/045331号
【特許文献６】国際公開第2013/090896号
【特許文献７】欧州特許出願公開第2397045号
【発明の概要】
【発明が解決しようとする課題】
【００１０】
ユーザが容易に、装置に毛髪ケア製品を補充し、かつ/または塗布される毛髪ケア製品を交換することができるように、毛髪ケア製品を塗布するための装置をさらに改良する必要がある。
【課題を解決するための手段】
【００１１】
その態様のうちの第1の態様によれば、本発明の一主題は、
-  第1のアームおよび第2のアームであって、ジョイントによって相互に接続され、毛髪を処理するための閉構成と処理したい毛髪を前記アーム間に取り込むための開構成との間で互いに対して移動することの可能な、第1のアームおよび第2のアームと、
-  取外し可能なレフィルであって、
ハウジングを有する本体、および
ハウジング内に受け取られた化粧製品を塗布するための部材
を備える、取外し可能なレフィルと
を備え、
レフィルが、第1のアームの少なくとも第2の取付け手段と相互作用する、少なくとも第1の取付け手段を備え、それによって、第1および第2の取付け手段が、第1の取付け手段をジョイントに実質的に平行な軸に沿って第2の取付け手段に対して移動させることによって組み立てられる、
毛髪を処理するための装置である。
【００１２】
このタイプのレフィルは、レフィルを第1のアームに対して単に移動させることによって、処理装置上に容易に取り付けられる。レフィルを、2本のアーム間のジョイントに実質的に平行な軸に沿って移動させることによって、第1の取付け手段を第2の取付け手段と相互作用させれば十分である。
【００１３】
加えて、希望するなら、レフィルは、このようにして装置上に取り付けられるとき、外側のほうに向けられてユーザから見ることのできる無視できない程度の表面をレフィルが維持するように作製することが可能である。この表面は、ユーザを対象とした、例えばレフィル内に収容された組成のタイプに関する、かつ/またはユーザにレフィル製造業者の商標を喚起するものとしての役割を果たす情報の、ホルダとしての働きをすることができる。
【００１４】
最後に、ユーザは、レフィルが存在することを容易に確認することができる。
【００１５】
第2の取付け手段は、スナップ嵌合および/または摩擦によって第1の取付け手段の対応する表面と相互作用する、少なくとも1つの表面を有してよく、さらに良好には、第2の取付け手段は、それぞれがスナップ嵌合および/または摩擦によって第1の取付け手段の対応する表面と相互作用する、少なくとも2つの表面を有する。
【００１６】
好ましくは、第1の取付け手段および第2の取付け手段のうちの一方が、第1の取付け手段および第2の取付け手段のうちの他方の支持体を間に閉じ込める2つの対面する壁部を備える。したがって壁部は、支持体の両側に位置付けられ、特に、レフィルが第1のアーム上に保持されることを可能にする。好ましくは、第1の取付け手段が2つの壁部を備え、第2の取付け手段が支持体を備える。
【００１７】
好ましくは、2つの壁部と支持体との間に画定される空間は、2つの壁部が支持体の両側に係合できるような相補的な形態のものである。2つの壁部は、実質的に平行であってよく、特に、0.5mmから10mmの間、さらに良好には1mmから5mmの間の距離eだけ離隔していてよい。
【００１８】
支持体は、2つの壁部間の距離eに実質的に等しい一定の厚さdのものであってよい。
【００１９】
レフィルは、第1のアーム上に、第1の取付け手段と第2の取付け手段との間の摩擦によって、かつ/または第1の取付け手段のロック用部材の、第2の取付け部材の相補的ロック用部材との相互作用によって、特にスナップ嵌合によって、保持されてよい。
【００２０】
例えば、壁部は、それらの間に支持体を取り付けると、壁部と支持体との間の摩擦によってレフィルが第1のアーム上にロックされるように、互いにわずかに離隔していることが可能である。
【００２１】
一変形形態では、壁部のうちの少なくとも一方が、2つのロック用部材のうちの一方を成す、ロック用部材のうちの他方を成す支持体の相補的起伏と相互作用するロック用起伏を備える。好ましくは、ロック用起伏および相補的起伏のうちの一方が、突き出た起伏であり、ロック用起伏および相補的起伏のうちの他方が、くぼんだ起伏である。
【００２２】
壁部のうちの少なくとも一方は、機械的応力を受ける(take up)少なくとも1つのガイド部分、およびレフィルが外れないようにするための少なくとも1つのロック用部分を備えてよい。ロック用部分は、支持体の相補的起伏と相互作用する少なくとも1つのロック用起伏を備えてよい。
【００２３】
支持体を支える第1のアームまたはレフィルは、ロック用部分を手動でロック解除するための少なくとも1つのノッチ、特に、ロック用部材をロック解除する目的で、指の爪を壁部のうちの一方を持ち上げるためにその溝内またはリブの下に挿入することのできる、ノッチを備えてよい。
【００２４】
好ましくは、第1の取付け手段は、第2の取付け手段と同じ長さである。第1の取付け手段は、レフィルの長さに実質的に等しい長さにわたって延在してよい。
【００２５】
第1の取付け手段は、0.5mmから50mmの間、さらに良好には2mmから30mmの間の幅lを有してよい。第2の取付け手段は、第1の取付け手段の幅に実質的に等しいかそれよりも大きい幅を有してよい。
【００２６】
第1のアームは凹所を備え、凹所はレフィルを受け取り、凹所内に第1および第2の取付け手段が延在してよい。好ましくは、凹所は、2つの対向表面および底部によって境界が定められる。
【００２７】
第1または第2の取付け手段は、実質的に凹所の長さ全体にわたって、特に凹所の2つの対向表面間に、延在してよい。
【００２８】
使用位置において、レフィルは、2つの対向表面間に延在し、底部に当接してよい。好ましくは、レフィルの長さLは、凹所の2つの対向表面間に画定された凹所の長さに実質的に等しい。
【００２９】
レフィルは、レフィルが第1のアーム上に取り付けられたときに装置の外側のほうを向く、レフィルの表面に沿って延在する舌片を備えてよい。このタイプの舌片があると、ユーザは、レフィルを第1のアームから容易に取り外せるようになる。前記ユーザは、第1の取付け手段を第2の取付け手段から係合解除するために、舌片をユーザの手でつかみ、それを引っ張り上げることが可能である。
【００３０】
好ましくは、塗布部材のハウジングは、第2のアームに向かって配向される。したがって、塗布部材は第2のアームに対面しており、化粧製品が、2本のアーム間の毛髪に、アームを閉じた後に塗布され得る。第2のアームは、塗布部材が圧迫するプレス部材を備えてよい。
【００３１】
好ましくは、塗布部材は多孔質材料から、すなわち、特に合成または天然の繊維または発泡体から、作成される。
【００３２】
塗布部材には、好ましくは、化粧製品、特に液体化粧料が含浸される。
【００３３】
塗布部材は、好ましくは、液体の形態をとる製品を毛髪に、特に塗布部材と毛髪との間の接触によって、塗布できるように構成される。
【００３４】
レフィルが上に配設されているアームに対向するアームは、蒸気出口を有してよい。
【００３５】
好ましくは、特に、毛髪をストレートにしようとするとき、装置は、毛髪と接触するためのものである加熱要素、さらに良好には、それぞれのアーム上にそれぞれ配設された2つの加熱要素を備える。この加熱要素またはこれらの加熱要素はそれぞれ、熱の良導体である材料から作成された、毛髪と接触させるための高温表面を画定するプレートを備えてよく、前記表面の温度は、例えば95℃以上、さらに良好には90から230℃の間である。
【００３６】
好ましくは、装置に導入された毛髪の毛束に、蒸気を加える、かつ/または加熱要素によってストレートにする前に、製品が塗布される。したがって、アーム間に導入された毛髪は、毛束が装置のアーム間で移動されている間、蒸気および加熱要素にさらされる前に塗布部材と接触することができる。
【００３７】
好ましくは、本発明による毛髪を処理するための装置は、特に閉位置において接触する平坦な加熱要素を有する、ストレートナである。
【００３８】
本発明のさらなる主題は、本発明による毛髪を処理するための装置のレフィルである。
【００３９】
本発明は、その非限定的な例示的実施形態についての以下の詳細な説明を読むことから、また添付の図面を検討することから、より良好に理解することができる。
【図面の簡単な説明】
【００４０】
【図１】装置の一例の斜視図を概略的に示す図である。
【図２】レフィルの一例の概略側面図である。
【図３】図2のIII-IIIでの断面図である。
【図４】図3のレフィルと関連付けられた装置の一例の、図3に類似した断面図である。
【図５】レフィルの一変形形態の概略側面図である。
【図６】図5のVI-VIでの断面図である。
【図７】図6のレフィルと関連付けられた装置の一例の、図6に類似した断面図である。
【図８】装置の一変形形態の上面図を概略的および部分的に示す図である。
【図９】図8のIX-IXでの断面図である。
【図１０】装置の一例の断面図である。
【図１１】図10の装置の第1のアームの部分長手方向断面図である。
【発明を実施するための形態】
【００４１】
残りの説明では、別段明記しない限り、同一もしくは類似の要素、または同一もしくは類似の機能を有する要素は、図中に同じ参照符号をもつ。
【００４２】
図1および図2は、本発明による毛髪を処理するための装置の一例である、ハンドピース2を示す。
【００４３】
このハンドピース2は、2つのあご部3および4を有し、それらは、前記あご部間に毛髪の毛束を導入するための開構成(図示せず)と処理のための閉構成との間で、互いに対して移動することが可能である。
【００４４】
あご部3および4はそれぞれ、上部アーム5および下部アーム6によって支えられ、それらのアームは、当該の例では、一端において、関節軸Yに沿って延在するジョイント8によって相互に接続され、したがって、ハンドピース2はトングを成す。
【００４５】
上部アーム5および下部アーム6はそれぞれ、好ましくは、22cmから37cmの間の、例えば31cmに等しい合計長さを有し、ジョイント8とあご部3および4との間にそれぞれの半ハンドル10および11を画定し、ユーザは、あご部3および4を相互に移動させるために、それらの半ハンドルを押すことができる。
【００４６】
あご部3および4を開構成に戻すために、弾性戻り部材(非表示)が好ましくは設けられ、この弾性戻り部材は、例えば、ジョイント8の軸の周りに配設されたばねである。
【００４７】
本発明は、上部アーム5と下部アーム6を相互に接続する特定の様式に限定されず、あご部3および4は、本発明の範囲から逸脱することなく、何らかの他の方法で移動できるようにされてよい。しかし、ジョイントの存在は、それがもたらすエルゴノミクスのため大いに好ましい。
【００４８】
あご部3および4はそれらの間に毛髪を処理するための領域を画定し、前記領域は、処理したい毛髪の毛束を受け取るためのものであり、ハンドピース2が、処理の間、例えば毛髪の根本から毛先にいたる方向に、前記毛束に沿って移動される。
【００４９】
ハンドピース2は、化粧製品を塗布し、蒸気を使用して毛髪を処理し、次いで、2つの高温表面との接触によって毛髪に対して熱処理を実施するように、構成されてよい。
【００５０】
図1および図4に示す、毛髪の上でのハンドピース2の移動の方向Dは、好ましくは、上部アーム5および下部アーム6に実質的に垂直である。
【００５１】
ハンドピース2はリード線によって、当該の例ではベースステーション(図示せず)に接続され、ベースステーションは、処理の間固定されており、電源に接続される。
【００５２】
このベースステーションは、ハンドピース2に電力を供給し、蒸気を発生させるための水の供給も行い、またハンドピース2から受信した電気信号を処理する追加の機能を実行してもよい。したがって、ハンドピース2をベースステーションに接続するリード線は、さまざまな電気導体および給水配管を備えてよい。
【００５３】
例えば、いくつかのハンドピース構成要素を始動させる選択肢をユーザに与えるために、ハンドピース2上にユーザインターフェース(図中に図示せず)が存在してよい。
【００５４】
化粧製品は、2本のアーム5または6のうちの一方、この場合には上部アーム5によって支えられたレフィル20によって、塗布される。
【００５５】
レフィル20は、実質的に平行六面体の形態の本体を備え、本体は、図2および図3に示すように、塗布部材26用のハウジング22を有する。ハウジング22と塗布部材26は、相補的な形態のものである。塗布部材26が2本のアーム5と6との間に取り込まれた毛髪と接触できるように、ハウジング22の開口は、レフィル20がアーム5上に取り付けられたときにアームのうちの他方のアーム6のほうを向く。
【００５６】
塗布部材26は、好ましくは、化粧製品で飽和した、多孔質材料、例えばフェルトから作成される。
【００５７】
ハンドピース2が使用されるとき、塗布部材26は、毛髪と接触して閉構成をとり、それが収容している化粧製品を毛髪に塗布する。化粧製品は、好ましくは、液体の形態をとる。
【００５８】
図2に示すレフィル20の長さLは、10mmから120mmの間、さらに良好には60mmから120mmの間、さらに良好には60mmから100mmの間である。
【００５９】
図1から図4に示す例では、レフィル20は、レフィル20を第1のアーム5上に取り付けることができるように第1のアーム5の第2の取付け手段29と相互作用する、第1の取付け手段27を備える。第1の取付け手段27はこの場合、レフィル20の側方表面31に垂直に延在するクリップ30である。クリップ30は、レフィル20の長さL全体にわたって延在する2つの壁部32および34によって形成される。2つの壁部32および34は、好ましくは平行であり、それらの間に0.5mmから10mmの間、さらに良好には1mmから5mmの間の厚さeをもつ空間38を成す。
【００６０】
壁部32および34の、側方表面31からそれらの端部まで測定された幅lは、一定であり、0.5mmから50mmの間、さらに良好には2mmから30mmの間である。
【００６１】
アーム5は、レフィル20を受け取るための凹所40を備える。凹所40は、前方表面42および後方表面44と、それらを相互に接続する、凹所40の底部を画定する側方表面46とによって、境界が定められる。凹所40は、レフィル20の支持体48を有し、支持体48は、第2の取付け手段29を成し、前方表面42から後方表面44まで長手方向に、かつ凹所40の底部46から横方向に延在するプレートの形態を有する。支持体48は、図4に示すように、レフィル20の壁部32と34との間の空間38の厚さeに実質的に等しい一定の厚さdのものである。支持体48は、レフィル20が凹所40の底部46に当接するように、壁部32および34の幅l以下の幅fのものであってよい。
【００６２】
一変形形態では、支持体48は、支持体48がレフィル20の側方表面31に当接するように、壁部32および34の幅lよりも大きな幅fのものであってよい。
【００６３】
レフィル20が凹所40に長手方向に嵌るように、凹所40の長さはレフィル20の長さに実質的に等しい。
【００６４】
レフィル20は、ジョイント8の軸Yに実質的に平行な軸に沿って移動させることによって導入される。壁部32および34が支持体48の両側で、レフィル20が凹所40の底部46に当接するまで、または支持体48がレフィル20の側方壁部31に当接するまで、スライドする。レフィル20は、壁部32および34の内側表面と支持体48の上部表面および下部表面との間の摩擦によって、適所に保たれ得る。空間38は、例えば、支持体48の厚さよりもごくわずかに小さい厚さeのものである。レフィル20の、凹所40内でのアーム5の長手方向軸に沿った位置決めは、レフィル20の前方表面33および後方表面35と凹所40の前方表面42および後方表面44との間の接触によって、確実になる。
【００６５】
レフィル20は、レフィル20の側方表面51のうちの他方の側方表面51からその側方表面51に垂直に延在する、舌片50を備えてよい。したがって舌片50は、レフィル20が使用位置にあるとき、ハンドピース2の外側のほうを向く。このタイプの舌片50があると、ユーザがレフィル20を凹所40内に位置付け、それを凹所40から取り外すことが、より容易になる。実際、ユーザは、レフィル20を押すまたは引っ張るために、舌片50を把持することが可能である。
【００６６】
レフィルは、舌片50だけが凹所40よりも幅広くなっているように、外側のほうを向くその側方表面51からクリップ30の端部まで測定した、凹所40の幅に実質的に等しい、舌片を除く幅kを有してよい。
【００６７】
図5から図7に示す例は、壁部32および34のうちの少なくとも一方、この場合には上部壁部34が、突き出たロック用起伏52を有するという点、ならびに支持体48が、突き出た起伏52に対面する少なくとも1つのくぼんだロック用起伏54を有するという点で、図1から図4の例とは異なっている。
【００６８】
レフィル20をアーム5上に位置付けると、突き出た起伏52が、くぼんだ起伏54内にスナップ嵌合し、レフィル20が支持体48上にロックされることを可能にする。
【００６９】
好ましくは、突き出た起伏52およびくぼんだ起伏54は、レフィルの固有の重みで壁部32および34が支持体48から係合解除しないようにするような、また支持体48の壁部32および34を係合解除するためにユーザが費やさなければならない力が過度にならないようなものである。
【００７０】
壁部32または34のうちの他方、この場合には下部壁部32も、第2の突き出たロック用起伏(図示せず)を備えてよく、支持体48が、第2の突き出た起伏に対面する第2のくぼんだ起伏54を備えてよい。
【００７１】
一変形形態では、突き出た起伏52が支持体48上にあり、くぼんだ起伏54が、壁部32または34のうちの一方上にある。
【００７２】
図8および図9の例は、壁部32または34のうちの少なくとも一方、特に上部壁部34が、機械的応力を受ける少なくとも1つのガイド部分56、この場合には2つのガイド部分56、およびレフィル20が外れないようにする少なくとも1つのロック用部分58を備えるという点で、図1から図4の例とは異なっている。図9に示すように、ロック用部分58は、支持体48のくぼんだロック用起伏54にスナップ嵌合するためのものである少なくとも1つの突き出たロック用起伏52を備えてよい。
【００７３】
第1のアーム5は、凹所40内に外側に向かって開口する、ノッチ60を備えてよく、上部壁部34は、溝またはリブ、この場合には溝62を、第1のアーム5のノッチ60に対面するその端部表面上に備えてよい。レフィルをロック解除するために、ユーザは、上部壁部34をわずかに持ち上げて支持体48のロック用部分58をロック解除すべく、ノッチ60を通じて指の爪を溝内またはリブの下に滑り込ませることが可能である。
【００７４】
図10および図11に示す例は、クリップ30がアーム5から延在し、支持体48がレフィル20から延在するという点で、図1から図4の例とは異なっている。
【００７５】
上記のように、壁部32または34のうちの一方が、支持体48の相補的ロック用部材と相互作用するロック用部材を備えてよく、かつ/またはレフィル20が舌片50を備えてよい。
【００７６】
本発明は、今しがた説明した例示的実施形態に限定されず、さまざまな例の特徴は、示されていない変形形態内で互いに組み合わされてよい。
【００７７】
これとは逆の定めのない限り、「1つの〜を備える」という表現は、「少なくとも1つの〜を備える」と同義であると理解すべきである。
【符号の説明】
【００７８】
2  ハンドピース
3  あご部
4  あご部
5  上部アーム、第1のアーム
6  下部アーム、第2のアーム
8  ジョイント
10  半ハンドル
11  半ハンドル
20  レフィル
22  ハウジング
26  塗布部材
27  第1の取付け手段
29  第2の取付け手段
30  クリップ
31  側方表面、側方壁部
32  下部壁部
33  前方表面
34  上部壁部
35  後方表面
38  空間
40  凹所
42  前方表面、対向表面
44  後方表面、対向表面
46  側方表面、底部
48  支持体
50  舌片
51  側方表面
52  突き出たロック用起伏、突き出た起伏、ロック用部材、相補的ロック用部材
54  くぼんだロック用起伏、くぼんだ起伏、第2のくぼんだ起伏、ロック用部材、相補的ロック用部材、相補的起伏
56  ガイド部分
58  ロック用部分
60  ノッチ
62  溝
d  厚さ
e  距離、厚さ
f  幅
k  幅
l  幅
D  方向
L  長さ
Y  関節軸
【図１】
0006629346.tif 000002
【図２】
0006629346.tif 000003
【図３】
0006629346.tif 000004
【図４】
0006629346.tif 000005
【図５】
0006629346.tif 000006
【図６】
0006629346.tif 000007
【図７】
0006629346.tif 000008
【図８】
0006629346.tif 000009
【図９】
0006629346.tif 000010
【図１０】
0006629346.tif 000011
【図１１】
0006629346.tif 000012